(57)【特許請求の範囲】
【請求項１】
生コンクリートやアスファルト混合物の製造に使用されるプラントの状態を示す状態推移若しくはスイッチ等を表示するプラント監視制御画面を有するプラント用操作盤であって、
前記プラント監視制御画面の一部の領域に配置可能な予め登録された全スイッチ群を呼び出す入力手段と、
前記全スイッチ群から前記プラント監視制御画面の一部の領域に表示するスイッチを任意に選択する表示項目選択手段と、
前記スイッチが配置可能かどうかの判定をするレイアウト判定手段と、
前記表示項目選択手段で選択されたスイッチを前記プラント監視制御画面の一部の領域に自動で配置する自動配置手段と、
前記自動配置手段で配置されたスイッチを任意の位置に手動で配置可能とし、新たに配置されたスイッチの位置を記憶する手動配置手段と、
を備え、
前記一部の領域が升目状の区画を有し、
前記手動配置手段が区画内に移動されたスイッチの配置を自動的に最適座標の位置に調整する自動調整手段を有することを特徴とするプラント用操作盤。
【請求項２】
前記自動配置手段及び前記手動配置手段が、レイアウト情報を備えていることを特徴とする請求項１に記載のプラント用操作盤。
【発明の詳細な説明】
【技術分野】
【０００１】
本発明は、生コンプラントやアスファルトプラントの計量関連や輸送関連等を制御および監視するプラント用操作盤に関する。
【背景技術】
【０００２】
従来、生コンプラントやアスファルトプラントのプラント用操作盤での制御および監視は、ハードスイッチを用いて行うのが一般的であった。
プラント用操作盤には、制御や監視用のハードスイッチが大量に搭載されており、計量や出荷、そして輸送などの状況が把握可能な液晶モニタが夫々用意されている。
そのため、プラント用操作盤は、ハードスイッチの量に比例して大きくなり、液晶モニタの量によって広い設置スペースが必要となっていた。
それゆえ、昨今ではハードスイッチからＯＡ機器（パソコン）に移行することで、ハードスイッチをなくし、液晶モニタを一つにすることでコンパクト且つ安価なプラント用操作盤が市場に現れてきている。
【先行技術文献】
【特許文献】
【０００３】
【特許文献１】特開２０１４−２２７８１１号公報（図１）
【発明の概要】
【発明が解決しようとする課題】
【０００４】
しかしながら、監視や制御する項目は多量にあり、また、１台の液晶モニタに表示させるには限度があった。それゆえ、従来のハードスイッチなどはメイン画面の下階層に格納されており、必要な時にワンアクション若しくはツーアクションすることで呼び出して表示するようになっている。
【０００５】
すなわち、必要な監視や制御をしたくても、メイン画面には表示されておらず、表示させるのにワンアクション若しくはツーアクションの手間が発生している。
【０００６】
従って、本発明は、メイン画面の一部の領域にユーザが任意に必要なスイッチを配置でき、且つ、スイッチの配置箇所を自在に移動できるプラント用操作盤を提供することを目的とする。
【課題を解決するための手段】
【０００７】
本発明のプラント用操作盤は、ユーザが常に監視または制御したいスイッチをメイン画面に配置することで、スイッチを下階層から呼び出す手間を削減している。
具体的には、本発明のプラント用操作盤は、生コンクリートやアスファルト混合物の製造に使用されるプラントの状態を示す状態推移若しくはスイッチ等を表示するプラント監視制御画面を有するプラント用操作盤であって、プラント監視制御画面の一部の領域に配置可能な予め登録されたスイッチを呼び出す入力手段と、スイッチ群からプラント監視制御画面の一部の領域に表示するスイッチを任意に選択する表示項目選択手段と、スイッチが配置可能かどうかの判定をするレイアウト判定手段と、表示項目選択手段で選択されたスイッチをプラント監視制御画面の一部の領域に自動で配置する自動配置手段と、この自動配置手段で配置されたスイッチを任意の位置に手動で配置可能とし、新たに配置されたスイッチの位置を記憶する手動配置手段と、を備え、一部の領域が升目状の区画を有し、手動配置手段が区画内に移動されたスイッチの配置を自動的に最適座標の位置に調整する自動調整手段を有することを特徴とする。
上記構成によれば、下階層に埋もれているスイッチを前面に持ってくることが可能である。また、ユーザが必要なスイッチを自動配置したり、自動配置されたスイッチを手動で自在にレイアウトできる。
【０００８】
また、本発明のプラント用操作盤においては、自動配置手段及び手動配置手段が、レイアウト情報を備えていることが好ましい。
【発明の効果】
【００１０】
本発明によれば、メイン画面の一部の領域にユーザが任意に必要なスイッチを配置でき、且つ、スイッチの配置箇所を自在に移動できるプラント用操作盤を提供することができる。
【図面の簡単な説明】
【００１１】
【図１】プラント監視制御画面の模式図である。
【図２】全スイッチ群が登録されたお気に入り登録画面の一例を示した図である。
【図３】お気に入りパネルの画面レイアウトの一例を示した図である。
【図４】プラント用操作盤のブロック構成図である。
【図５】お気に入りパネル登録方法（自動）を示したフロー図である。
【図６】登録されたお気に入りパネルの配置変更方法（手動）を示したフロー図である。
【発明を実施するための形態】
【００１２】
以下、本発明を実施するための最良の形態を、適宜、図面を参照しながら説明する。尚、以下の好ましい実施形態の説明は、本質的に例示に過ぎず、本発明、その適用物、或いはその用途を制限することを意図するものではない。
【００１３】
（実施形態１）
本発明の実施形態１のプラント用操作盤は、生コンクリートやアスファルト混合物の製造に使用されるプラントの計量関係と輸送関係の状態を示す状態推移やスイッチ等を表示するプラント監視制御画面を有するプラント用操作盤である。
【００１４】
図１は、本実施形態のプラント監視制御画面１００を、図２は、全スイッチ群が登録されたお気に入り登録画面１０４の一例を、図３は、お気に入りパネル１０１の画面レイアウトの一例を夫々示した図である。
図１、図２に示すようにプラント監視制御画面１００の略２／３には、計量関係の状態推移を表示し、プラント監視制御画面１００の一部の領域である画面の略１／３にお気に入りパネル１０１を表示している。
【００１５】
お気に入りパネル１０１には、状態確認や操作用のスイッチ１０７と、お気に入りボタン１０３と、配置変更ボタン１０２とが配置されている。
【００１６】
お気に入りボタン１０３は、マウスやキーボードなどのデバイスで押されると、お気に入りパネル１０１に配置可能な予め登録された全スイッチ群が網羅されたお気に入り登録画面１０４をプラント監視制御画面１００の前面に呼び出すようになっている。
【００１７】
お気に入り登録画面１０４は、登録ボタン１０５が備えられており、登録ボタン１０５を押すことで後述の表示項目選択手段２で選択された項目（スイッチ）をお気に入りパネル１０１に自動でスイッチ１０７を配置するようになっている。
【００１８】
また、プラント用操作盤に備えられているプラント監視制御画面１００には、配置変更ボタン１０２が備えられており、配置変更ボタン１０２を押すと登録ボタン１０５で自動配置されたスイッチ１０７を任意に手動で配置可能となる。
【００１９】
このとき、図３で示すように、配置変更ボタン１０２を押すとお気に入りパネル１０１が４×１０の升目状の区画１０６を有するようになっている。
さらに、任意の場所にスイッチ１０７の配置変更が完了した際に再度押すと、スイッチ１０７の配置位置を記憶するようになっている。
【００２０】
図４は、プラント用操作盤のブロック構成図を示したものである。
図１〜図４で示すように、表示装置１９は、プラント用操作盤の画面表示を行っているシステムを示している。
【００２１】
自動配置手段２０は、入力手段１と表示項目選択手段２とレイアウト判定手段３とレイアウト情報４とで構成されおり、入力手段１から受信したデータから表示項目選択手段２のデータをもとにレイアウト判定手段３で、スイッチ１０７が配置可能かどうかの判定が行われ、レイアウト情報４で配置し、情報を更新している。
すなわち、自動配置手段２０は、表示項目選択手段２で選択された項目（スイッチ）をプラント監視制御画面１００の一部の領域であるお気に入りパネル１０１に自動でスイッチ１０７を配置している。
【００２２】
入力手段１は、マウスやキーボードなどのデバイスからなっており、デバイスからの信号をもとにお気に入りパネル１０１に配置可能な予め登録された全スイッチ群を呼び出している。
表示項目選択手段２は、お気に入り登録画面１０４に一覧表示されている全スイッチ群から、お気に入りパネル１０１に表示するスイッチを任意にマウスで選択するものである。
【００２３】
レイアウト判定手段３は、表示項目選択手段２で選択した項目（スイッチ）がお気に入りパネル１０１に配置するスペースがあるかどうかを判定するものである。
レイアウト情報４は、お気に入りパネル１０１に表示するスイッチ１０７の内容が変更された場合、各スイッチの表示有無、配置座標などの情報を更新している。
【００２４】
手動配置手段２１は、入力手段７と表示項目移動手段５とレイアウト判定手段６とレイアウト情報４とで構成されており、入力手段７から受信したデータから表示項目移動手段５のデータをもとにレイアウト判定手段６で、スイッチ１０７が配置可能かどうかの判定が行われ、レイアウト情報４で配置し、情報を更新するものである。
すなわち、手動配置手段２１は、自動配置手段２０で配置されたスイッチ１０７を任意の位置に手動で配置可能とし、新たに配置されたスイッチ１０７の位置を記憶している。
【００２５】
入力手段７は、マウスなどのデバイスからなっており、配置移動したいスイッチ１０７を選択するものである。
表示項目移動手段５は、目的のスイッチ１０７をマウスでドラッグして移動し、目的の画面配置を作成している。
【００２６】
レイアウト判定手段６では、表示項目移動手段５でドラッグした各スイッチが重ならずにすべて表示可能かどうかを判定しており、判定に問題がなければ、自動調整手段２２に情報を転送し、判定に問題があれば、表示項目移動手段５に情報を転送している。
自動調整手段２２は、区画１０６内にドロップしたスイッチ１０７の配置を自動的に区画１０６内に調整して配置するようになっている。調整後、レイアウト情報４に情報を転送している。
【００２７】
入力手段８は、マウスやキーボードなどのデバイスからなっており、デバイスからの信号をもとに表示する画面を切り替える要求をしている。
画面表示情報１０には、システムに登録されている画面表示に関する設定情報が格納されている。
画面表示判定手段９は、入力手段８と画面表示情報１０とにより要求された内容で画面表示内容を切り替えることが可能かどうかを判定している。
【００２８】
画面レイアウト作成手段１１は、レイアウト情報４と画面表示判定手段９の情報をもとに、画面表示内容を切り替え可能な場合は、新たな画面を構成している。また、その情報を後述の画面生成手段１２に提供している。
【００２９】
プラント監視手段１５は、プラントに設置された各種センサーや制御機器などの状態を監視している。
プラント制御手段１６は、プラントを制御するシステムでプラント監視手段１５からの情報を取得し整理している。
【００３０】
表示情報管理手段１７は、各種通信を使用してプラント制御手段１６で取得整理したプラントの情報をプラント情報１８に転送している。
プラント情報１８は、表示情報管理手段１７で転送された情報をシステム内のメモリエリア内に保存している。
グラフィック１３は、スイッチやボタンなどのグラフィックデータが格納されている。
【００３１】
画面生成手段１２は、画面レイアウト作成手段１１とグラフィック１３とを用いてユーザが指定したスイッチを指定した位置に配置した画面を生成し、プラント情報１８の内容でプラントの状態表示を行っている。
画面表示手段１４は、画面生成手段１２で生成された画面をディスプレイを用いてユーザに情報を提供している。
【００３２】
以下に、図５と図６を用いて操作手順の説明をする。尚、図１〜図４で示した符号も使用して説明する。
図５は、本実施形態におけるお気に入りパネル登録方法（自動）を示した配置判定フロー図である。
【００３３】
図５に示すように、ユーザは、まず、お気に入り登録画面１０４に一覧表示されている全スイッチ群から、お気に入りパネル１０１に表示したい項目（スイッチ）をマウスでクリックして選択する（ステップＳ１０１）。
次に、選択されたスイッチの大きさ情報を取得する（ステップＳ１０２）。
次に、現在のお気に入りパネル１０１に配置されているスイッチ１０７のレイアウト情報を取得する（ステップＳ１０３）。
次に、お気に入りパネル１０１で配置可能な位置を示す１０×４の升目上の区画１０６において、１×１（左上）の升目を指定する（ステップＳ１０４）。
次に、指定した升目に選択したスイッチの大きさが配置可能かどうかを判定する（ステップＳ１０５）。
【００３４】
ステップＳ１０５において、配置可能な場合、各スイッチの表示・非表示や配置座標などの画面レイアウト情報を更新し（ステップＳ１０７）、更新した画面レイアウト情報を設定ファイルに保存する（Ｓ１０８）。
【００３５】
一方、配置不可能な場合、１×２（左上の１つ右側）の升目の座標が空いているか判定する（ステップＳ１０６）。空いていればステップＳ１０４に戻る。空いていなければ、次の升目（１×３）の空きを判定する。１×４までいったら次は２行目の２×１とこの作業を繰り返し、１０×４の全ての升目で配置不可能な場合はマウスクリックで選択したスイッチの選択を解除し「配置不可能」とメッセージを表示する（ステップＳ１０９）。
【００３６】
図６は、本実施形態における登録されたお気に入りパネルの配置変更方法（手動）を示した配置変更フロー図である。
【００３７】
図６示すように、ユーザは、まず、通常の「運用モード」からスイッチ１０７を配置移動させるための「移動モード」へ切り替えるために配置変更ボタン１０２をマウスでクリックする（ステップＳ２０１）。
次に、スイッチ１０７を移動させる最中の誤作動防止のためにスイッチ１０７を操作不能にする（ステップＳ２０２）。
次に、スイッチ１０７の配置位置の目安となる補助線（１０×４の升目状の区画１０６となる点線）を表示する（ステップＳ２０３）。この補助線が表示されることでユーザには「移動モード」中であることを示している。
【００３８】
次に、移動させたいスイッチ１０７をマウスでドラッグし区画１０６を目安に目的位置まで移動し（ステップＳ２０４）、マウスのドラッグを離しスイッチ１０７をドロップする（Ｓ２０５）。この時、ドロップした際のマウスカーソルの座標位置を取得し、その座標位置がどの区画１０６に含まれているか判定している。
次に、ドロップしたスイッチ１０７の左上を基準として、移動先の区画１０６にスイッチ１０７を配置する空スペースがあるかどうかを判定する。（ステップＳ２０６）。
【００３９】
ステップＳ２０６で配置する空スペースがない場合、元の位置（移動する前の場所）にスイッチ１０７を戻し（ステップＳ２０８）、再度ステップＳ２０４からの作業となる。
ステップＳ２０６で配置する空スペースがある場合、各区画には予めスイッチ１０７を配置するための最適な座標情報が登録されており、区画１０６に揃えた最適座標の位置に自動調整されたスイッチ１０７を表示する（ステップＳ２０７）。
次に、その他のスイッチを移動させる場合は、ステップＳ２０４からの作業の繰り返しとなる。全ての移動作業が終了したら、「移動モード」を終了させるための配置変更ボタン１０２をクリックする（ステップＳ２０９）。
【００４０】
次に、お気に入りパネル１０１のどの位置にどのスイッチが表示されているのかを示す情報をファイルに保存する（ステップＳ２１０）。
次に、スイッチ配置位置の目安となる補助線を非表示とし、「移動モード」から「運用モード」に変更する（ステップＳ２１１）。
最後に、移動中の誤操作防止用に禁止していたスイッチ操作を解除し「運用モード」に戻って終了となる（ステップＳ２１２）。
【００４１】
以上のように、本発明によれば、メイン画面の一部の領域（お気に入りパネル１０１）にユーザが任意に必要なスイッチ１０７を配置でき、且つ、スイッチ１０７の配置箇所を自在に移動できるプラント用操作盤を提供することができる。
すなわち、ユーザによって使用頻度の高いスイッチ１０７は異なり、また、画面レイアウトやスイッチ１０７のグループ分けなど千差万別である。
したがって、ユーザが自由にスイッチ１０７を前面にもってくることができ、さらにお気に入りパネル１０１上で自由にスイッチ１０７のレイアウト変更をすることができる。
そのため、仕事上において目的のスイッチ１０７を見つけ易くなり、迅速なスイッチ操作が行える。
また、スイッチ１０７の使用状態を画面を切り替えることなく、即座に確認および監視することができる。
さらに、ユーザが自由にスイッチ１０７を選択できるため、全てのユーザに対応する最適な操作性を提供することができる。
また、お気に入りパネル１０１上でスイッチ１０７のレイアウト変更の際に画面が升目状の区画１０６になるため、目印となり移動しやすくなる。
また、区画１０６内に移動したスイッチを自動的に区画１０６に沿ってレイアウトすることが可能である。
【産業上の利用可能性】
【００４２】
以上説明したように、本発明にかかるプラント用操作盤は、生コンクリートやアスファルト混合物の製造に使用されるプラントの状態を示す状態推移若しくはスイッチ等を表示するプラント監視制御画面などで利用することができる。
【符号の説明】
【００４３】
１、７、８    入力手段
２    表示項目選択手段
３、６    レイアウト判定手段
４    レイアウト情報
５    表示項目移動手段
２０    自動配置手段
２１    手動配置手段
２２    自動調整手段
１００    プラント監視制御画面
１０１    お気に入りパネル
１０２    配置変更ボタン
１０３    お気に入りボタン
１０６    区画  
１０７    スイッチ
【図１】
0006329515.tif 000002
【図２】
0006329515.tif 000003
【図３】
0006329515.tif 000004
【図４】
0006329515.tif 000005
【図５】
0006329515.tif 000006
【図６】
0006329515.tif 000007